(57)【要約】【課題】キートップを下方に押圧して操作した際の空気圧に着目し、押圧されていない未操作のキーの操作信号の入力判定を確実に防止するとともに、小型化および簡素化が可能でかつ薄型化を達成することができるキーボードおよびこれを備えた電子機器を提供する。【解決手段】キーボード１のハウジング１０ａ内に、キー軸１２の拡径部１２ａを上下方向に摺動させる摺動穴部１６ａと、この摺動穴部１６ａの下端位置において一側および他側にそれぞれ膨出する膨出部１６ｂとからなる密閉空間１６を構成し、この密閉空間の底部に接点配線板１５を設ける。キートップを下方に押圧したキーの操作時に密閉空間内の空気を圧縮し、キー１１の操作完了時に密閉空間１６内の圧縮された空気圧によって、キーを操作前の位置まで上方に復帰させるようにする。【選択図】        図１
2005141980.tif 000002
【特許請求の範囲】
【請求項１】
キー軸上端のキートップを下方に押圧して操作した際にそのキー軸下端の接点を接点板に接触させることによってキー操作信号が入力されるようにしたキーボードであって、
上記接点板は、キートップを下方に押圧した際に空気が圧縮される密閉空間に設けられており、
上記キートップ、キー軸および接点は、キートップを下方に押圧した際に圧縮された密閉空間内の空気圧によって上方に復帰するように構成されていることを特徴とするキーボード。
【請求項２】
上記請求項１に記載のキーボードにおいて、
キートップを下方に押圧した際に圧縮された密閉空間内の空気圧を変更する空気圧変更手段を備えていることを特徴とするキーボード。
【請求項３】
上記請求項１に記載のキーボードを備えたことを特徴とする電子機器。
【請求項４】
上記請求項２に記載のキーボードを備えた電子機器において、
キーボードは、電子機器本体に対し開閉自在に設けられており、
空気圧変更手段は、キーボードの電子機器本体に対する開閉動作に連動して密閉空間内の空気圧を変更させるようにしていることを特徴とする電子機器。
【請求項５】
上記請求項２に記載のキーボードを備えた電子機器において、
キーボードは、電子機器本体に対し引き出し自在に設けられており、
空気圧変更手段は、キーボードの引き出し動作に連動して密閉空間内の空気圧を変更させるようにしていることを特徴とする電子機器。
【発明の詳細な説明】
【技術分野】
【０００１】
本発明は、キーを下方に押圧して操作した際にキー操作信号が入力されるキーボードおよびこれを備えたノートパソコンや携帯型情報端末などの電子機器に関する。
【背景技術】
【０００２】
従来より、この種キーボードとしては、キートップを凸部の先端に形成するように弾性部材よりなる表面シートと、この表面シートのキートップを下方に押圧して操作した際に接点同士が接触してキー操作信号が入力されるスイッチ部と、上記表面シート（キートップ）とスイッチ部との間に形成された空気室と、使用時に上記空気室に加圧空気を供給して凸部を膨らませる気体供給手段とを備えたものが知られている（例えば、特許文献１参照）。
【０００３】
また、その他のキーボードとしては、固定電極と、この固定電極に対向し、可撓性フィルムよりなる可動電極と、上記可撓性フィルムの上側に設けられ、加圧減圧ポンプの加圧側に連通する加圧口を有する上部圧力室と、上記可撓性フィルムの下側に設けられ、加圧減圧ポンプの減圧側に連通する減圧口を有する下部圧力室と、上方に位置する非操作時に上記加圧口を閉じ上記減圧口を開く一方、下方への操作時に上記加圧口を開き上記減圧口を閉じるように上下方向に操作されるキーとを備え、このキーの下方への操作によって、上部圧力室を加圧状態にする一方、下部圧力室を減圧状態にし、その両圧力室の圧力差により上記可動電極を固定電極に接近させるようにしたものもある（例えば、特許文献２参照）。
【特許文献１】特開平２−１５３４１４号公報
【特許文献２】特開昭５９−８２８号公報
【発明の開示】
【発明が解決しようとする課題】
【０００４】
ところが、上記従来のものでは、以下に述べるような課題を有している。
【０００５】
つまり、上記前者の如きものでは、何れかのキー（キートップ）を押圧して操作すると、全キートップ（空気室）の圧力が上昇するため、キーの接点間距離を縮める方向に作用し、押圧されていない未操作のキーの操作信号が入力判定されるおそれがある。また、空気室に加圧空気を供給して凸部を膨らませる気体供給手段を必要とするため、キーボードの小型化を達成することができない。
【０００６】
一方、上記後者の如きものでは、静電容量（検知）形キーボードの検知特性を改善することを目的としているため、キー操作信号の入力検知方法が一般的な電気接触による場合には、小型化／簡素化等の利点を得られることができない。これは、キーの操作方向（上下方向）に上下の圧力室を具備し、かつその両圧力室を加減圧する加圧減圧ポンプを必要とするからである。
【０００７】
本発明は、かかる点に鑑みてなされたものであり、その目的とするところは、キートップを下方に押圧して操作した際の空気圧に着目し、押圧されていない未操作のキーの操作信号の入力判定を確実に防止するとともに、小型化および簡素化が可能でかつ薄型化を達成することができるキーボードおよびこれを備えた電子機器を提供することにある。
【課題を解決するための手段】
【０００８】
上記目的を達成するため、本発明では、キー軸上端のキートップを下方に押圧して操作した際にそのキー軸下端の接点を接点板に接触させることによってキー操作信号が入力されるようにしたキーボードを前提とし、上記接点板を、キートップを下方に押圧した際に空気が圧縮される密閉空間に設ける。そして、上記キートップ、キー軸および接点を、キートップを下方に押圧した際に圧縮された密閉空間内の空気圧によって上方に復帰させるように構成している。
【０００９】
この特定事項により、キー、つまりキートップ、キー軸および接点は、キートップを下方に押圧した際に圧縮された密閉空間内の空気圧によって上方に復帰しているので、キートップを下方に押圧してキーを操作した際に密閉空間内の空気圧が上昇しても、この密閉空間内の空気圧は、密閉空間に設けた接点板とキーの接点との間の距離を拡げる方向に作用し、押圧されていない未操作のキーの操作信号の入力判定を確実に防止することが可能となる。しかも、キートップを下方に押圧した際に圧縮される密閉空間内の空気圧を利用していることにより、気体供給手段や加圧減圧ポンプなどを不要にしてキーボードの小型化および簡素化を図ることが可能となる上、キーの操作方向（上下方向）に単一の密閉空間のみを備えることによってキーボードの薄型化を達成することも可能となる。
【００１０】
また、このようなキーボードを電子機器に備えた場合には、電子機器の薄型化に貢献することが可能となる。
【００１１】
ここで、キートップを下方に押圧した際に圧縮された密閉空間内の空気圧を変更する空気圧変更手段を備えている場合には、空気圧変更手段によって、キーの不使用時に密閉空間内の空気圧を減少させるように変更すれば、キートップが下方に押圧した位置にキーが保持されることになり、キーボードの薄型化を効果的に達成することが可能となる。
【００１２】
特に、キーボードを電子機器に備えたものとして、以下の構成が掲げられる。
【００１３】
つまり、電子機器本体に対しキーボードを開閉自在に設け、空気圧変更手段を、キーボードの電子機器本体に対する開閉動作に連動して密閉空間内の空気圧を変更させるようにしている。
【００１４】
この特定事項により、空気圧変更手段によって、密閉空間内の空気圧をキーボードの電子機器本体に対する閉動作に連動して減圧させるように変更すれば、電子機器本体に対するキーボードの閉動作に合致してキートップを下方に押圧した位置にキーが保持されることになり、キーボードを電子機器本体に対しキーを干渉させることなく閉状態に格納され、電子機器の薄型化に貢献することが可能となる。
【００１５】
一方、空気圧変更手段によって、密閉空間内の空気圧をキーボードの電子機器本体に対する開動作に連動して増圧させるように変更すれば、電子機器本体に対するキーボードの開動作に応じてキートップを上方に復帰させる位置にキーが戻されることになり、キーボードのキーを操作し易い位置に戻してキーの操作性を確保することが可能となる。
【００１６】
これに対し、電子機器本体に対しキーボードを引き出し自在に設け、空気圧変更手段を、キーボードの引き出し動作に連動して密閉空間内の空気圧を変更させるようにしている場合には、空気圧変更手段によって、密閉空間内の空気圧をキーボードの電子機器本体に対する格納動作（押込動作）に連動して減少させるように変更すれば、電子機器本体に対するキーボードの格納動作に合致してキートップを下方に押圧した位置にキーが保持されることになり、キーボードを電子機器本体に対しキーを干渉させることなく格納され、電子機器の薄型化に貢献することが可能となる。
【００１７】
一方、空気圧変更手段によって、密閉空間内の空気圧をキーボードの電子機器本体に対する引き出し動作に連動して増加させるように変更すれば、電子機器本体に対するキーボードの引き出し動作に応じてキートップを上方に復帰させる位置にキーが戻されることになり、キーボードのキーを操作し易い位置に戻してキーの操作性を確保することが可能となる。
【発明の効果】
【００１８】
以上、要するに、キートップを下方に押圧した際に圧縮された密閉空間内の空気圧によってキートップ、キー軸および接点を上方に復帰させることで、キートップを下方に押圧してキーを操作した際に上昇する密閉空間内の空気圧が密閉空間の接点板とキーの接点との間の距離を拡げる方向に作用し、押圧されていない未操作のキーの操作信号の入力判定を確実に防止することができる。しかも、キーを操作した際に圧縮される密閉空間内の空気圧を利用することで、気体供給手段や加圧減圧ポンプなどを不要にしてキーボードの小型化および簡素化を図ることができる上、キーの操作方向に単一の密閉空間のみを備えてキーボードの薄型化を達成することもできる。
【発明を実施するための最良の形態】
【００１９】
以下、本発明を実施するための最良の形態を図面に基づいて説明する。
【実施例１】
【００２０】
図１および図２は本発明の実施例１に係わるキーボードの断面図を示している。
【００２１】
この図１および図２において、１はキーボードであって、このキーボード１のキーボード本体１０には、キー１１を設計された位置に保持するハウジング１０ａが設けられている。
【００２２】
上記キー１１は、上下方向に延びるキー軸１２と、このキー軸１２の上端に嵌合されたキートップ１３と、上記キー軸１２の下端に設けられた接点としての可動接点１４とを備えている。上記キー軸１２は、ハウジング１０ａに対し上下方向に移動自在に設けられ、キートップ１３がキーボード１から脱落するのを防止するように拡径する拡径部１２ａを下部に備えている。上記キートップ１３は、使用者がキー操作する際に押圧する部分である。上記可動接点１４は、キー軸１２の下端に対して導電塗料の印刷や導電体を貼付けることによって構成されている。
【００２３】
また、上記キー１の下方に対向するキーボード本体１０の底部には、接点板としての接点配線板１５が敷設されている。この接点配線板１５には、キー軸１２下端の可動接点１４と対峙する固定接点（図示せず）及びその信号線（図示せず）がプリントされている。そして、上記キートップ１３を下方に押圧してキー１１を操作した際にそのキー軸１２下端の可動接点１４を接点配線板１５の固定接点に接触させることによってキー操作信号が入力されるようになっている。
【００２４】
上記ハウジング１０ａ内には、密閉空間１６が形成されている。この密閉空間１６は、キー軸１２の拡径部１２ａを上下方向に摺動させる摺動穴部１６ａと、この摺動穴部１６ａの下端位置において一側および他側（図１および図２では右側および左側）にそれぞれ膨出する膨出部１６ｂとで構成されている。そして、図２に示すように、上記密閉空間１６は、キートップ１３を下方に押圧したキー１１の操作時に内部の空気が圧縮され、キー１１の操作完了時（キートップ１３から指を離したとき）に密閉空間１６（膨出部１６ｂ）内の圧縮された空気圧によって、上記キー１１（キートップ１３、キー軸１２および可動接点１４）が操作前の位置（図１に示す位置）まで上方に復帰するように構成されている。
【００２５】
したがって、上記実施例では、キー１１、つまりキートップ１３、キー軸１２および可動接点１４は、キートップ１３を下方に押圧してキー１１を操作した際に圧縮された密閉空間１６（膨出部１６ｂ）内の空気圧によって操作前の位置（図１に示す位置）まで上方に復帰しているので、キートップ１３を下方に押圧してキー１１を操作した際に密閉空間１６内の空気圧が上昇しても、この密閉空間１６内の空気圧は、密閉空間１６に設けた接点配線板１５の固定接点とキー１１の可動接点１４との間の距離を拡げる方向に作用し、押圧されていない未操作のキーの操作信号の入力判定を確実に防止することができる。しかも、キートップ１３を下方に押圧した際に圧縮される密閉空間１６内の空気圧を利用していることにより、気体供給手段や加圧減圧ポンプなどを不要にしてキーボード１の小型化および簡素化を図ることが可能となる上、キー１１の操作方向（上下方向）に延びる摺動穴部１６ａの下端位置において一側および他側にそれぞれ膨出する膨出部１６ｂとで単一の密閉空間１６を構成していることによってキーボード１の薄型化を達成することもできる。
【実施例２】
【００２６】
次に、本発明の実施例２を図３および図４に基づいて説明する。
【００２７】
この実施例２では、密閉空間内の空気圧を変更する空気圧変更手段を設けている。なお、空気圧変更手段を除くその他の構成は、上記実施例１の場合と同じであり、同一部分については同じ符号を付して、その詳細な説明は省略する。
【００２８】
すなわち、本実施例では、図３および図４に示すように、互いに相隣なるキー１１，…の密閉空間１６，…は、膨出部１６ｂの端部同士が連結されて互いに連通している。この場合、キーボード本体１０の一端側（図３および図４では右側）に位置するキー１１の膨出部１６ｂは、キーボード本体１０の反端部側にのみ膨出している。
【００２９】
上記キーボード本体１０の他端側（図３および図４では左側）のハウジング１０ａ内には、そのキーボード本体１０の他端側に位置するキー１１（図３および図４では左端のキー）の膨出部１６ｂの他端に連通するチャンバー２１（図４に表れる）が設けられている。このチャンバー２１には、その内部の容積を変更して各キー１１の密閉空間１６の空気圧を制御する制御ノブ２２が一側および他側に摺動可能に設けられている。そして、図３に示すように、上記制御ノブ２２が一側端（図３および図４では右端）に位置付けられているときには、チャンバー２１の内部の容積が減少され、いずれかのキートップ１３を下方に押圧してキー１１を操作した際に圧縮された密閉空間１６（膨出部１６ｂ）内の空気圧によってキー１１が操作前の位置（図３に示す位置）まで上方に復帰させるようにしている。一方、図４に示すように、上記制御ノブ２２が他側（図３および図４では左側）に移動されているときには、チャンバー２１の内部の容積が拡大され、各キー１１の密閉空間１６（膨出部１６ｂ）内の空気圧が減圧されて、キートップ１３を下方に押圧して操作した位置に各キー１１が降ろされている。この場合、チャンバー２１および制御ノブ２２によって、キートップ１３を下方に押圧してキー１１を操作した際に圧縮された密閉空間１６内の空気圧を変更する空気圧変更手段２が構成されている。
【００３０】
なお、図４に示す状態ではキー１１の操作は行えないが、図３に示すように、制御ノブ２２を一側端（図３および図４では右端）に位置付けることで、チャンバー２１の内部の容積が減少されて密閉空間１６（膨出部１６ｂ）内の空気圧が増加し、この増加した空気圧によって各キー１１を操作前の位置（図３に示す位置）まで上方に復帰させるようにしている。
【００３１】
したがって、上記実施例では、キートップ１３を下方に押圧してキー１１を操作した際に圧縮された密閉空間１６内の空気圧を変更する空気圧変更手段２が設けられているので、この空気圧変更手段２によって、各キー１１の不使用時に制御ノブ２２を他側（図３および図４では左側）に移動させてチャンバー２１の内部の容積を拡大させておけば、各キー１１の密閉空間１６内の空気圧が減少し、キートップ１３が下方に押圧した位置に各キー１１が保持されることになり、キーボード１の薄型化を効果的に達成することができる。
【実施例３】
【００３２】
次に、本発明の実施例３を図５および図６に基づいて説明する。
【００３３】
この実施例３では、キーボードを電子機器としての開閉式のノートパソコンに適用し、空気圧変更手段の構成を変更している。なお、空気圧変更手段を除くその他の構成は、上記実施例２の場合と同じであり、同一部分については同じ符号を付して、その詳細な説明は省略する。
【００３４】
すなわち、本実施例では、図５および図６に示すように、キーボード１は、開閉式のノートパソコン３の操作部３１に収容され、この操作部３１に対しヒンジ（図示せず）を介して開閉する電子機器本体としての表示パネル部３２に対し開閉自在に設けられている。
【００３５】
また、上記表示パネル部３２の開閉時に回動するヒンジと制御ノブ２２との間には、制御棒４１が連結されている。この制御棒４１は、表示パネル部３２の開閉時に回動するヒンジの動作に連動して制御ノブ２２を一側または他側（図５および図６では右側または左側）に移動させるようになされている。
【００３６】
具体的には、図５に示すように、制御棒４１は、表示パネル部３２の開放時に回動するヒンジの動作に連動して制御ノブ２２を一側（図５および図６では右側）に移動させるようになされていて、制御ノブ２２が一側端に位置付けられることによって、チャンバー２１の内部の容積を減少させて各キー１１の密閉空間１６（膨出部１６ｂ）内の空気圧を増圧させ、この増圧された密閉空間１６内の空気圧によってキー１１が操作前の位置まで上方に復帰させるようにしている。一方、図６に示すように、制御棒４１は、表示パネル部３２の閉塞時に回動するヒンジの動作に連動して制御ノブ２２を他側（図５および図６では左側）に移動させるようになされていて、制御ノブ２２が他側に移動されることによって、チャンバー２１の内部の容積を拡大して各キー１１の密閉空間１６（膨出部１６ｂ）内の空気圧を減圧させ、この減圧された密閉空間１６内の空気圧によってキートップ１３を下方に押圧して操作した位置に各キー１１が降ろされるようにしている。この場合、チャンバー２１、制御ノブ２２および制御棒４１によって、表示パネル部３２の開閉時に回動するヒンジの動作に連動して密閉空間１６内の空気圧を変更する空気圧変更手段４が構成されている。
【００３７】
したがって、上記実施例では、表示パネル部３２の開閉時に回動するヒンジの動作に連動して密閉空間１６内の空気圧を変更する空気圧変更手段４が設けられているので、この空気圧変更手段４によって、表示パネル部３２の閉塞時に回動するヒンジの動作に連動して制御ノブ２２を他側（図５および図６では左側）に移動させることによって密閉空間１６内の空気圧が減圧され、表示パネル部３２閉塞時のヒンジの動作に合致してキートップ１３を下方に押圧した位置に各キー１１が保持されることになり、キーボード１が表示パネル部３２に対し各キー１１を干渉させることなく閉塞状態に格納され、ノートパソコン３の薄型化に貢献することができる。
【００３８】
一方、空気圧変更手段４によって、表示パネル部３２の開放時に回動するヒンジの動作に連動して制御ノブ２２を一側（図５および図６では右側）に移動させることによって密閉空間１６内の空気圧が増圧され、表示パネル部３２閉塞時のヒンジの動作に応じてキートップ１３を上方に復帰させる位置に各キー１１が戻されることになり、キーボード１の各キー１１を操作し易い位置に戻して各キー１１の操作性を確保することができる。
【実施例４】
【００３９】
次に、本発明の実施例４を図７ないし図１０に基づいて説明する。
【００４０】
この実施例４では、キーボードを電子機器としての引き出し式のノートパソコンに適用し、空気圧変更手段の構成を変更している。なお、空気圧変更手段を除くその他の構成は、上記実施例２の場合と同じであり、同一部分については同じ符号を付して、その詳細な説明は省略する。
【００４１】
すなわち、本実施例では、図７ないし図１０に示すように、キーボード１は、引き出し式のノートパソコン５の操作部５１に収容され、この操作部５１が電子機器本体としての表示パネル部５２に対し手前側（図７では右側）に引き出し自在に設けられている。
【００４２】
互いに相隣なるキー１１，…の密閉空間１６，…は、膨出部１６ｂの端部同士が連結されて互いに連通している。
【００４３】
上記各キー１１の密閉空間１６はそれぞれ連通路１６ｃを介して連通されている。また、キーボード本体１０の一端側奥方（図８および図１０では右上側）のハウジング１０ａ内には、そのキーボード本体１０の一端側奥方位置（図８では右上隅）に位置するキー１１（図８および図１０では右上隅のキー）の膨出部１６ｂの一端に連通するチャンバー６１（図１０に表れる）が設けられている。このチャンバー６１には、その内部の容積を変更して各キー１１の密閉空間１６の空気圧を制御する制御ノブ６２が一側および他側（図８および図１０では右側および左側）に摺動可能に設けられている。そして、図８に示すように、上記制御ノブ６２が一側端（図８および図１０では右端）に位置付けられているときには、チャンバー６１の内部の容積が減少され、いずれかのキートップ１３を下方に押圧してキー１１を操作した際に圧縮された密閉空間１６（膨出部１６ｂ）内の空気圧によってキー１１が操作前の位置（図７に示す位置）まで上方に復帰させるようにしている。一方、図１０に示すように、上記制御ノブ６２が他側（図８および図１０では左側）に移動されているときには、チャンバー６１の内部の容積が拡大され、各キー１１の密閉空間１６（膨出部１６ｂ）内の空気圧が減圧されて、キートップ１３を下方に押圧して操作した位置に各キー１１が降ろされている。
【００４４】
そして、上記表示パネル部３２の一側反引き出し側端（図８では右上隅）と、制御ノブ６２の他側反引き出し側端（図８では左上隅）との間には、制御棒６３の各一端が回動自在に連結されている。この制御棒６１は、表示パネル部３２に対して引き出されたり押し戻されたりする操作部５１の押し引き動作に連動して制御ノブ６２を一側または他側に移動させるようになされている。この場合、チャンバー６１、制御ノブ６２および制御棒６３によって、キートップ１３を下方に押圧してキー１１を操作した際に圧縮された密閉空間１６内の空気圧をキーボード１（操作部５１）の押し引き動作に連動して変更する空気圧変更手段６が構成されている。
【００４５】
具体的には、図７および図８に示すように、制御棒６１は、表示パネル部３２に対して引き出される操作部５１の引き出し動作に連動して制御ノブ６２を一側（図８および図１０では右側）に移動させるようになされていて、制御ノブ６２が一側端に位置付けられることによって、チャンバー６１の内部の容積を減少させて各キー１１の密閉空間１６（膨出部１６ｂ）内の空気圧を増圧させ、この増圧された密閉空間１６内の空気圧によって各キー１１が操作前の位置まで上方に復帰させるようにしている。一方、図９および図１０に示すように、制御棒６１は、表示パネル部３２に対して押し戻される操作部５１の押し込み動作に連動して制御ノブ６２を他側（図８および図１０では左側）に移動させるようになされていて、制御ノブ６２が他側に移動されることによって、チャンバー６１の内部の容積を拡大して各キー１１の密閉空間１６（膨出部１６ｂ）内の空気圧を減圧させ、この減圧された密閉空間１６内の空気圧によってキートップ１３を下方に押圧して操作した位置に各キー１１が降ろされるようにしている。
【００４６】
したがって、上記実施例では、キーボード１（操作部５１）の押し引き動作に連動して各キー１１の密閉空間１６内の空気圧を変更する空気圧変更手段６が設けられているので、この空気圧変更手段６によって、キーボード１の押し込み動作に連動して制御ノブ２２を他側（図８および図１０では左側）に移動させることによって各キー１１の密閉空間１６内の空気圧が減圧され、キーボード１の押し込み動作に合致してキートップ１３を下方に押圧した位置に各キー１１が保持されることになり、キーボード１が表示パネル部３２に対し各キー１１を干渉させることなく閉塞状態に格納され、ノートパソコン３の薄型化に貢献することができる。
【００４７】
一方、空気圧変更手段６によって、キーボード１の押し込み動作に連動して制御ノブ２２を一側（図８および図１０では右側）に移動させることによって各キー１１の密閉空間１６内の空気圧が増圧され、キーボード１の押し込み動作に応じてキートップ１３を上方に復帰させる位置に各キー１１が戻されることになり、キーボード１の各キー１１を操作し易い位置に戻して各キー１１の操作性を確保することができる。
【００４８】
なお、本発明は、上記各実施例に限定されるものではなく、その他種々の変形例を包含している。例えば、上記実施例１および実施例２では、本発明をキーボード１に適用した場合について述べたが、このようなキーボードが、ノートパソコンなどの電子機器に備えられていてもよいのはもちろんである。
【図面の簡単な説明】
【００４９】
【図１】本発明の実施例１に係わるキーボードのキー付近の断面図である。
【図２】同じくキートップが押圧された操作状態のキーボードのキー付近の断面図である。
【図３】本発明の実施例２に係わるキーボードの複数のキー付近の断面図である。
【図４】同じくキーボードの密閉空間内を減圧させた状態でのキー付近の断面図である。
【図５】本発明の実施例３に係わるノートパソコンのキーボード開放状態での断面図である。
【図６】同じくノートパソコンのキーボード閉塞状態での断面図である。
【図７】本発明の実施例４に係わるノートパソコンのキーボード引き出し状態での断面図である。
【図８】同じくノートパソコンのキーボード引き出し状態での平面図である。
【図９】同じくノートパソコンのキーボード押し込み状態での断面図である。
【図１０】同じくノートパソコンのキーボード押し込み状態での平面図である。
【符号の説明】
【００５０】
１    キーボード
１１  キー
１２  キー軸
１３  キートップ
１４  可動接点（接点）
１５  接点配線板（接点板）
１６  密閉空間
３    ノートパソコン（電子機器）
３２  表示パネル部（電子機器本体）
４    空気圧変更手段
５    ノートパソコン（電子機器）
５２  表示パネル部（電子機器本体）
６    空気圧変更手段
【図１】
2005141980.tif 000003
【図２】
2005141980.tif 000004
【図３】
2005141980.tif 000005
【図４】
2005141980.tif 000006
【図５】
2005141980.tif 000007
【図６】
2005141980.tif 000008
【図７】
2005141980.tif 000009
【図８】
2005141980.tif 000010
【図９】
2005141980.tif 000011
【図１０】
2005141980.tif 000012